(57)【要約】【課題】高精細度表示を行う場合に、ユニフォミティ補正を少ない負担で適正に行えるようにする。【解決手段】ｎ個の表示領域ごとに用意されたｎ個の映像信号に対して、それぞれ個別に表示デバイスのユニフォミティ補正を、予め用意された各表示領域のユニフォミティ補正用データを用いて、信号処理部１１０〜１４０で分割補正処理を行う。その分割補正処理で補正されたｎ個の映像信号から、１つの合成映像信号を得る合成処理を合成処理部１５０で行い、その合成処理で得られた合成映像信号により表示デバイス１７０の映像表示を行う。さらに、その表示処理でｎ個の映像信号を表示させる表示モードに対応して、それぞれの分割補正処理でのユニフォミティ補正に使用するユニフォミティ補正用データの画素位置のシフト量を制御部１９０が設定する。【選択図】図１
2011090211.tif 000002
【特許請求の範囲】
【請求項１】
ｎ個（ｎは２以上の整数）の表示領域ごとに用意されたｎ個の映像信号に対して、それぞれ個別に表示デバイスのユニフォミティ補正を行うｎ個の補正処理部と、
前記それぞれの補正処理部に対応した表示領域のユニフォミティ補正用データを記憶した補正データ記憶部と、
前記ｎ個の補正処理部で補正されたｎ個の映像信号から、１つの合成映像信号を得る合成処理部と、
前記合成処理部で得られた合成映像信号により前記表示デバイスの映像表示処理を行う表示部と、
前記表示部で前記ｎ個の映像信号を表示させる際の表示モードに対応して、前記それぞれの補正処理部でのユニフォミティ補正に使用するユニフォミティ補正用データの画素位置のシフト量を設定する制御部とを備えた
表示装置。
【請求項２】
前記ｎ個の映像信号のそれぞれで示される画素数は、前記表示デバイスの対応した表示領域の画素数を越えた画素数であり、
前記制御部は、前記表示デバイスに映像を表示させる際の前記画素数の相違のために生じる無表示部分の位置を設定した場合に、その無表示部分の位置に対応して、少なくとも１つの補正処理部で、その補正処理部に対応した表示領域に隣接した表示領域内の一部の画素についても、前記補正データ記憶部が記憶したユニフォミティ補正用データによりユニフォミティ補正を行う
請求項１記載の表示装置。
【請求項３】
前記補正処理部で隣接した表示領域内の一部の画素のユニフォミティ補正を行う場合に、隣接した表示領域に対応した前記補正処理部では、前記一部の画素以外の画素のユニフォミティ補正を行う
請求項２記載の表示装置。
【請求項４】
ｎ個（ｎは２以上の整数）の表示領域ごとに用意されたｎ個の映像信号に対して、それぞれ個別に表示デバイスのユニフォミティ補正を、予め用意された各表示領域のユニフォミティ補正用データを用いて行う分割補正処理と、
前記分割補正処理で補正されたｎ個の映像信号から、１つの合成映像信号を得る合成処理と、
前記合成処理で得られた合成映像信号により前記表示デバイスの映像表示を行う表示処理と、
前記表示処理で前記ｎ個の映像信号を表示させる表示モードに対応して、前記それぞれの分割補正処理でのユニフォミティ補正に使用するユニフォミティ補正用データの画素位置のシフト量を設定する
表示方法。
【発明の詳細な説明】
【技術分野】
【０００１】
本発明は、輝度むら等を補正するユニフォミティ補正を行う表示装置及び表示方法に関し、特に画素数が多い表示デバイスに表示処理する場合に好適な技術に関する。
【背景技術】
【０００２】
従来、入力した映像信号による映像を表示デバイスで表示させる際に、ユニフォミティ補正を行って、輝度むらのない高品質な映像表示を行うことが行われている。即ち、液晶表示パネルや有機ＥＬ（Electro Luminescence）表示パネルなどの画像表示を行う各種表示デバイスは、パネル上に配置された各表示画素が持つ特性（ばらつき）により、発光輝度の不均一が発生する。この発光輝度の不均一は、表示パネルの製造工程の改善などで極力少なくする必要があるが、完全に無くすことは困難である。このため、高画質表示が求められる表示装置では、ユニフォミティ補正と称される電気的な補正で、輝度むらを無くすようにしてある。
【０００３】
ユニフォミティ補正では、表示パネルのそれぞれの画素位置の輝度特性を予め測定して、その測定結果から各画素のユニフォミティ補正データを得て、得られたユニフォミティ補正データを、表示装置内のメモリに記憶させておく。そして、表示装置で表示を行う際には、入力した映像信号のそれぞれの画素位置の信号（画素信号）に対して、ユニフォミティ補正データに基づいた補正演算を行って、その輝度補正された映像信号で表示パネルの駆動を行うようにしてある。このようにユニフォミティ補正を行うことで、輝度むらを無くすことが可能となる。
【０００４】
ユニフォミティ補正処理は、表示パネル上の全ての画素について補正データを用意して、全ての画素の映像信号に対して補正演算が必要であり、比較的大規模な回路を必要とし、演算処理量も大きいものである。
【０００５】
一方、映像表示装置として、フルＨＤ（High-Definition）表示を行う表示デバイスである、水平方向１９２０画素×垂直方向１０８０画素の表示デバイスよりも、さらに画素数の多い高精細度が可能な表示デバイスが望まれている。例えば、フルＨＤ表示の４倍の解像度を持ったＱＦＨＤ（水平方向３８４０画素×垂直方向２１６０画素）表示を行う表示デバイスが望まれている。
このＱＦＨＤ表示を行う場合、そのままでは映像信号の伝送レートが非常に高速になるため、例えば４つの映像信号に分割して、それぞれの映像信号を並列して表示装置に入力させて、分割して処理を行う構成が考えられている。
【０００６】
特許文献１には、大型の画面で映像表示を行う場合に、画面を分割した単位ごとに映像処理と表示処理を行い、それぞれの分割画面を並べて配置することで、結果的に画面を大型化する構成とした表示装置についての記載がある。
【先行技術文献】
【特許文献】
【０００７】
【特許文献１】特開平６−１０２８５１号公報
【発明の概要】
【発明が解決しようとする課題】
【０００８】
上述したように、フルＨＤ表示の４倍などの非常に解像度の高い表示デバイスが望まれている。しかしながら、例えば表示デバイスとして、ＱＦＨＤ表示を行う画素数のものが用意できたとしても、その表示デバイスで表示を行うための処理回路についても、画素数の増大に対応して高速化する必要があり、回路構成に工夫が必要となっている。
例えば、上述したユニフォミティ補正を行う回路については、画素単位での補正が必要であり、表示デバイスの高解像度化により処理量が増え、補正を正しく実行することの困難さが増大している。
【０００９】
一方、上述したＱＦＨＤとして示した画素数は、高精細度表示を行う場合の１つの例であり、高精細度表示を行う映像信号の規格としては、様々なものが提案されている。このため、高精細度表示を行う表示装置においては、表示デバイスの画素数と入力した映像信号の画素数が一致しない場合に、入力した映像信号の画素数を変換したり、一部の表示領域を除去するなどの画素数を合わせる処理を行って対応させている。
ここで、上述したユニフォミティ補正を行う回路について考えると、この補正処理は、表示デバイスの各画素に対応させて、画素単位で補正演算処理を行う必要がある。このため、表示用に最終的に変換された画素数の映像信号に対して補正演算を行うのが一般的であり、表示画素数の増大が、そのまま補正処理負担の増大につながっていた。
【００１０】
本発明はかかる点に鑑みてなされたものであり、高精細度表示を行う場合に、ユニフォミティ補正を少ない負担で適正に行えるようにすることを目的とする。
【課題を解決するための手段】
【００１１】
本発明は、ｎ個（ｎは２以上の整数）の表示領域ごとに用意されたｎ個の映像信号に対して、それぞれ個別に表示デバイスのユニフォミティ補正を、予め用意された各表示領域のユニフォミティ補正用データを用いて行う分割補正処理を行う。
その分割補正処理で補正されたｎ個の映像信号から、１つの合成映像信号を得る合成処理を行い、その合成処理で得られた合成映像信号により表示デバイスの映像表示を行う。
その表示処理でｎ個の映像信号を表示させる表示モードに対応して、それぞれの分割補正処理でのユニフォミティ補正に使用するユニフォミティ補正用データの画素位置のシフト量を設定する。
【００１２】
このようにしたことで、ユニフォミティ補正処理を、分割した領域ごとに処理した後、１系統の映像信号に合成して表示処理を行うので、ユニフォミティ補正処理の分割数に対応して、１つの系統のユニフォミティ補正処理で行う補正量が対応して少なくなる。このため、高精細度表示を行う場合でも、ユニフォミティ補正を無理なく実行できるようになる。
そして、それぞれのユニフォミティ補正処理を行う際の補正用データの画素位置を、表示モードに応じて適正に制御することで、分割してユニフォミティ補正処理を行っても、適正にユニフォミティ補正を行うことができる。
【発明の効果】
【００１３】
本発明によると、ユニフォミティ補正を分割した映像信号に対して行うので、高精細度表示を行う場合でもユニフォミティ補正を無理なく実行できる。しかも、その補正処理状態を適正に制御することで、分割処理であっても種々の表示態様に対応した適正なユニフォミティ補正が行える。
【図面の簡単な説明】
【００１４】
【図１】本発明の一実施の形態による表示装置構成例を示すブロック図である。
【図２】本発明の一実施の形態による表示装置の表示範囲と入力映像信号の領域を示す説明図である。
【図３】本発明の一実施の形態による表示装置のユニフォミティ補正処理構成例を示すブロック図である。
【図４】本発明の一実施の形態による各処理部の補正可能領域を示した説明図である。
【図５】本発明の一実施の形態による処理例を示したフローチャートである。
【図６】本発明の一実施の形態によるユニフォミティ補正領域の例（各処理部が対応した領域の処理を行うモードの例）を示す説明図である。
【図７】本発明の一実施の形態によるユニフォミティ補正領域の例（映像を左に寄せて表示させたモードの例）を示す説明図である。
【図８】本発明の一実施の形態によるユニフォミティ補正領域の例（映像を中央に配置して表示させたモードの例）を示す説明図である。
【図９】本発明の一実施の形態によるユニフォミティ補正領域の例（映像を右に寄せて表示させたモードの例）を示す説明図である。
【図１０】本発明の一実施の形態の変形例（垂直方向と水平方向で処理する例）を示す説明図である。
【発明を実施するための形態】
【００１５】
以下、本発明の一実施の形態を、以下の順序で説明する。
１．  本発明の一実施の形態の説明
１．１  表示装置構成の説明（図１−図５）
１．２  各処理部で処理する領域の具体例の説明（図６−図９）
１．３  水平・垂直の両方向で処理状態を変える例（図１０）
１．４  その他の変形例
【００１６】
［１．  本発明の一実施の形態の説明］
［１．１  表示装置構成の説明］
図１は、本実施の形態の例の表示装置の全体構成を示した図である。
表示装置１００は、映像信号源１０から供給される映像信号を入力し、その入力した映像信号による映像（画像）を、表示パネル１７０に表示させるものである。表示パネル１７０としては、ここでは液晶表示パネルを使用する。
【００１７】
映像信号源１０から出力される映像信号としては、１つの画面を４分割した４つの映像信号としてある。即ち、第１，第２，第３，第４映像信号を、並列に映像信号源１０から表示装置１００に供給する構成としてある。それぞれの映像信号で示される１フレーム内の画素数は、水平２０４８×垂直１０８０のいわゆる２Ｋ映像信号である。本明細書では、水平２０４８×垂直１０８０の映像信号を、２Ｋ映像信号と称する。この水平２０４８×垂直１０８０の２Ｋ映像信号や水平４０９６×垂直２１６０の４Ｋ映像信号は、デジタルシネマ用として規格化されたものである。４つの映像信号が担当する映像中の領域の詳細については後述する。なお、第１，第２，第３，第４映像信号は、１つの映像を４分割した映像の信号であるが、表示モードによっては、第１，第２，第３，第４映像信号がそれぞれ異なる映像内容の２Ｋ映像信号である場合もある。この場合には、表示装置１００の１つの表示画面に、４つの異なる映像が表示される（後述する４分割表示モード）。
【００１８】
表示装置１００では、入力したそれぞれの映像信号を、それぞれ別の分割信号処理部である、２Ｋ信号処理部１１０〜１４０に供給して、表示のために必要な信号処理を行う。即ち、第１映像信号を第１の２Ｋ信号処理部１１０に供給して信号処理を行い、第２映像信号を第２の２Ｋ信号処理部１２０に供給して信号処理を行う。また、第３映像信号を第３の２Ｋ信号処理部１３０に供給して信号処理を行い、第４映像信号を第４の２Ｋ信号処理部１４０に供給して信号処理を行う。各２Ｋ信号処理部１１０〜１４０では、高画質化などのための各種信号処理を行う。表示デバイスの輝度むらを補正する処理である、ユニフォミティ補正処理についても、各２Ｋ信号処理部１１０〜１４０で行う。ユニフォミティ補正についての詳細な処理構成及び処理状態については後述するが、図１に示すように、各２Ｋ信号処理部１１０，１２０，１３０，１４０内には、補正用データを記憶したメモリ１１３，１２３，１３３，１４３が用意してある。
【００１９】
各２Ｋ信号処理部１１０〜１４０で処理された水平２０４８×垂直１０８０の２Ｋ映像信号は、合成処理部１５０に供給し、１系統の合成映像信号とする。本例の場合には、合成映像信号として、１フレームが水平３８４０×垂直２１６０の映像信号とする。本明細書では、この水平３８４０×垂直２１６０の映像信号を、ＱＦＨＤ映像信号と称する。この合成処理部１５０で得られたＱＦＨＤ映像信号は、表示デバイス駆動部１６０に供給し、表示デバイスである表示パネル１７０で映像を表示させるための駆動処理を行う。表示パネル１７０は、表示画素として、水平３８４０×垂直２１６０の画素配列としてあり、水平３８４０×垂直２１６０のＱＦＨＤ映像信号をそのまま表示させることができる。
【００２０】
各２Ｋ信号処理部１１０〜１４０及び合成処理部１５０での信号処理は、制御部１９０の制御に基づいて実行される。
【００２１】
図２は、表示パネル１７０での分割映像信号による表示状態（図２（ａ））と、表示装置１００の４つの２Ｋ信号処理部１１０〜１４０で扱う入力映像信号である、第１，第２，第３，第４映像信号の配置位置関係（図２（ｂ））とを示したものである。
図２（ａ）に示したように、表示パネル１７０は、水平３８４０×垂直２１６０の画素配列としてある。この水平３８４０×垂直２１６０の画素を、左上の領域（第１エリア）Ａ１と、右上の領域（第２エリア）Ａ２と、左下の領域（第３エリア）Ａ３と、右下の領域（第４エリア）Ａ４とに、４分割してある。第１〜第４の２Ｋ信号処理部１１０〜１４０は、基本的にはそれぞれエリアＡ１，Ａ２，Ａ３，Ａ４が割り当ててあり、その割り当てられたエリアの映像信号を処理する。但し後述するように、表示モードの設定によっては、各エリアの隣接した箇所の近傍では他の２Ｋ信号処理部で処理した信号を表示させる場合もある。合成処理部１５０では、このそれぞれのエリアの映像信号を、図２（ａ）に示すように１枚の映像に合成して、表示パネル１７０に表示させる。
【００２２】
図２（ｂ）は、２Ｋ信号処理部１１０〜１４０で扱う入力映像信号である、第１，第２，第３，第４映像信号の配置位置関係を示したものである。
４つの入力映像信号は、図２（ｂ）に示すように、それぞれ水平２０４８×垂直１０８０の画素であり、図２（ａ）に示した表示映像の４分割の画素数よりも水平方向の画素数が多い。即ち、分割映像信号として水平方向に１２８画素多い画素数であり、１画面全体として、水平方向に２５６画素多い画素数である。
【００２３】
本実施の形態の表示装置１００は、図２（ｂ）の水平４０９６×垂直２１６０の画素配列のものを入力映像信号として、図２（ａ）の水平３８４０×垂直２１６０の画素配列で表示を行う。このため、合成処理部１５０で、供給された合計で水平４０９６×垂直２１６０の画素の信号から、水平３８４０×垂直２１６０の画素部分を抽出して、表示デバイス駆動部１６０に供給して、水平３８４０×垂直２１６０の画素の表示を行う。
【００２４】
合成処理部１５０で、供給された４つの映像信号で示される画素から、どの範囲を抽出するのかは、制御部１９０から供給されるシフト量の制御信号により設定される。具体的な設定例については、図６以降の説明で後述する。
制御部１９０で設定する状態は、設定部１８０での表示モード設定により設定される。設定部１８０での表示モード設定は、例えば図示しない操作キーなどの操作によるユーザ操作で行われる。或いは、入力映像信号の状態など最適なモードを判定して、自動的に適切な表示モードを設定してもよい。
【００２５】
図３は、各２Ｋ信号処理部１１０〜１４０が備えるユニフォミティ補正処理部の構成例を示したものである。図３は２Ｋ信号処理部１１０内の構成を示してあるが、他の２Ｋ信号処理部１２０〜１４０内のユニフォミティ補正処理部についても、メモリに記憶されるデータ以外は同一構成である。
図３に示すように、第１の２Ｋ信号処理部１１０に入力した第１映像信号（水平２０４８×垂直１０８０の２Ｋ映像信号）は、演算処理部１１１に供給する。演算処理部１１１では、ユニフォミティ補正データ生成部１１２から供給される画素単位の補正データを使って、供給された映像信号の各画素の信号（画素信号）の、ユニフォミティ補正を行う。ユニフォミティ補正としては、例えば補正データ生成部１１２から供給される補正データで示される該当する画素の補正係数値を、画素信号に乗算する等の演算処理を行う。映像信号が、例えば赤（Ｒ），緑（Ｇ），青（Ｂ）の原色信号である場合には、その原色信号ごとに各画素の補正係数値を持って、色ごとの補正を行うようにしてもよい。また、単純な補正係数値の乗算による補正ではなく、何らかの補正演算式に画素値と補正係数値を代入して、正確な画素値とする補正演算を行うようにしてもよい。いずれにしても、画素単位で補正データに基づいてユニフォミティ補正を行う演算処理状態については、公知の種々の処理が適用可能であり、演算処理部１１１でどの方式を適用してもよい。
【００２６】
補正データ生成部１１２には、補正用メモリ１１３から画素毎の補正データが供給される。補正用メモリ１１３には、第１映像信号で表示パネル１７０に表示させる範囲（図２の第１エリアＡ１）の画素の補正データが記憶させてある。この補正データは、予め表示パネル１７０の対応した画素の輝度特性を測定して記憶させたものである。
補正用メモリ１１３から各画素の補正用データを読出し、その読み出した記憶データから補正データ生成部１１２でユニフォミティ補正データを生成して、演算処理部１１１に供給する処理は、例えば映像信号の同期信号に同期したタイミングで行われる。
なお、補正用メモリ１１３には、隣接するエリアＡ２の一部の画素の補正データについても記憶させてある。この補正データのエリアの一部のオーバーラップについては図４の説明で後述する。
【００２７】
補正用メモリ１１３から補正用データを読出す画素位置と、補正データ生成部１１２で補正データを作成する画素位置は、図１に示した制御部１９０からの制御信号で制御される構成としてある。具体的には、制御部１９０からの制御信号で示されたシフト量の値で、メモリ１１３から読出す位置及び補正データを生成させる位置を水平方向にシフトさせる量を決めるようにしてある。例えば、シフト量が０の場合には、映像信号の同期信号で決まるタイミングで読み出し及び補正データの生成を行う。また、シフト量が＋１２８の場合には、画面の右方向に１２８画素シフト位置で読み出し及び補正データの生成を行う。さらに、シフト量が−１２８の場合には、画面の左方向に１２８画素シフト位置で読み出し及び補正データの生成を行う。
【００２８】
ユニフォミティ補正が行われた第１映像信号は、２Ｋ信号処理部１１０内の後段の信号処理系に供給して処理した後、合成処理部１５０に供給する。
他の２Ｋ信号処理部１２０〜１４０についても、同様の処理構成である。なお、図１に示すように、第２，第３，第４の２Ｋ信号処理部１２０，１３０，１４０が備える補正用メモリを、それぞれメモリ１２３，１３３，１４３とする。
【００２９】
次に、図４を参照して、４つの２Ｋ信号処理部１１０〜１４０内の補正用メモリ１１３，１２３，１３３，１４３に記憶される補正用データの画素の領域について説明する。
図４（ａ）は、第１の２Ｋ信号処理部１１０内のメモリ１１３に記憶される表示パネルの画素の補正データの画素範囲を示した図である。
第１の２Ｋ信号処理部１１０内のメモリ１１３には、エリアＡ１〜Ａ４に４分割した内の左上のエリアＡ１の範囲の画素の補正データと、一部の隣接領域の画素の補正データが記憶される。即ち、図４（ａ）に平行斜線を付与した領域が、第１の２Ｋ信号処理部１１０内のメモリ１１３に記憶される範囲の画素位置であり、この例では右隣のエリアＡ２の各水平ラインの左端から１２８画素の補正データについても記憶させてある。従って、メモリ１１３には、水平２０４８×垂直１０８０の画素の補正データが記憶させてある。
【００３０】
図４（ｂ）は、第２の２Ｋ信号処理部１２０内のメモリ１２３に記憶される表示パネルの画素の補正データの画素範囲を示した図である。
第２の２Ｋ信号処理部１２０内のメモリ１２３には、エリアＡ１〜Ａ４に４分割した内の右上のエリアＡ２の範囲の画素の補正データと、一部の隣接領域の画素の補正データが記憶される。即ち、図４（ｂ）に平行斜線を付与した領域が、第２の２Ｋ信号処理部１２０内のメモリ１２３に記憶される範囲の画素位置であり、この例では左隣のエリアＡ１の各水平ラインの右端から１２８画素の補正データについても記憶させてある。従って、メモリ１２３には、水平２０４８×垂直１０８０の画素の補正データが記憶させてある。
【００３１】
図４（ｃ）は、第３の２Ｋ信号処理部１３０内のメモリ１３３に記憶される表示パネルの画素の補正データの画素範囲を示した図である。
第３の２Ｋ信号処理部１３０内のメモリ１３３には、エリアＡ１〜Ａ４に４分割した内の左下のエリアＡ３の範囲の画素の補正データと、一部の隣接領域の画素の補正データが記憶される。即ち、図４（ｃ）に平行斜線を付与した領域が、第３の２Ｋ信号処理部１３０内のメモリ１３３に記憶される範囲の画素位置であり、この例では右隣のエリアＡ４の各水平ラインの左端から１２８画素の補正データについても記憶させてある。従って、メモリ１３３には、水平２０４８×垂直１０８０の画素の補正データが記憶させてある。
【００３２】
図４（ｄ）は、第４の２Ｋ信号処理部１４０内のメモリ１４３に記憶される表示パネルの画素の補正データの画素範囲を示した図である。
第４の２Ｋ信号処理部１４０内のメモリ１４３には、エリアＡ１〜Ａ４に４分割した内の右下のエリアＡ４の範囲の画素の補正データと、一部の隣接領域の画素の補正データが記憶される。即ち、図４（ｄ）に平行斜線を付与した領域が、第４の２Ｋ信号処理部１４０内のメモリ１４３に記憶される範囲の画素位置であり、この例では左隣のエリアＡ３の各水平ラインの右端から１２８画素の補正データについても記憶させてある。従って、メモリ１４３には、水平２０４８×垂直１０８０の画素の補正データが記憶させてある。
【００３３】
図５は、本実施の形態の表示装置１００でのユニフォミティ補正に関する処理状態を示したフローチャートである。この図５のフローチャートの処理は、制御部１９０の制御に基づいて実行される処理である。
図５に基づいて処理を説明すると、まず制御部１９０は、設定部１８０からの指示で設定された表示パネル１７０で映像を表示させる表示モードを確認し、その表示モードに対応した各２Ｋ信号処理部１１０〜１４０でのユニフォミティ補正位置のシフト量を判断する（ステップＳ１１）。そして、制御部１９０が各２Ｋ信号処理部１１０〜１４０と合成処理部１５０に対して、シフト量を示した制御信号を送って指示を行う（ステップＳ１２）。
【００３４】
この制御信号を受信した各２Ｋ信号処理部１１０〜１４０では、指示されたシフト量に基づいて、ユニフォミティ補正を行う位置のシフト量を設定する。また、合成処理部１５０では、指示されたシフト量に基づいて、４つの映像信号による映像を合成する範囲を設定する（ステップＳ１３）。そして、設定された状態で合成処理部１５０が出力する映像信号を表示デバイス駆動部１６０に供給し、表示パネル１７０で表示させるため処理を行う。
【００３５】
［１．２  各処理部で処理する領域の具体例の説明］
次に、図６〜図９を参照して、各２Ｋ信号処理部１１０〜１４０でのユニフォミティ補正を行う範囲の設定状態と、合成処理部１５０で合成する領域について説明する。
図６〜図９は、それぞれ別の表示モードの処理例を示したものであり、各図で太線で囲って示す範囲（符号Ｐを付与して示す範囲）は、それぞれの２Ｋ信号処理部１１０〜１４０が出力する映像信号の水平２０４８×垂直１０８０の画素範囲である。また、その太線で囲って示す符号Ｐを付与した範囲の内の、平行斜線を付与して示す範囲が、該当する２Ｋ信号処理部でユニフォミティ補正を行う範囲である。
【００３６】
ここでは設定部１８０で設定可能な表示モードとして、４分割表示モードと、圧縮表示モードと、左寄せ表示モードと、中央表示モードと、右寄せ表示モードとを用意してある。
４分割表示モードは、水平３８４０×垂直２１６０の画素数の表示パネル１７０に、４分割でそれぞれ異なる映像を表示させるモードである。
圧縮表示モードは、水平４０９６×垂直２１６０の画素数の入力映像信号（但し分割映像信号として入力）を、水平方向の４０９６画素幅を、３８４０画素幅に圧縮して、水平３８４０×垂直２１６０の画素数の表示パネル１７０に表示させるモードである。この場合の圧縮処理は、それぞれの２Ｋ映像信号を処理する２Ｋ信号処理部１１０，１２０，１３０，１４０で行われ、例えば所定画素ごとに１画素間引くなどの処理を行って、水平方向だけ画素数を少なくする。
左寄せ表示モードは、水平４０９６×垂直２１６０の画素数の入力映像信号による映像中の右端だけをカットして、水平３８４０×垂直２１６０の画素数の映像として、表示パネル１７０に表示させるモードである。
中央表示モードは、水平４０９６×垂直２１６０の画素数の入力映像信号による映像中の左端と右端を均等にカットして、水平３８４０×垂直２１６０の画素数の映像とし、表示パネル１７０に表示させるモードである。
右寄せ表示モードは、水平４０９６×垂直２１６０の画素数の入力映像信号による映像中の左端だけをカットして、水平３８４０×垂直２１６０の画素数の映像として、表示パネル１７０に表示させるモードである。
次に、各表示モードでの処理について説明する。
【００３７】
・４分割表示モード及び圧縮表示モード（図６）
これらの表示モードの際には、２Ｋ信号処理部１１０〜１４０が出力する映像信号の水平２０４８×垂直１０８０の内の、水平方向で左端から１９２０画素の信号に対して、ユニフォミティ補正を行う。圧縮表示モードの場合には、間引きなどで圧縮処理された１９２０画素を、水平方向で左端から１９２０画素の位置に配置してあり、その圧縮処理後の信号に対してユニフォミティ補正を行うようにしてある。
そして、合成処理部１５０では、そのユニフォミティ補正が行われた範囲の信号だけを取り出して、１つの映像信号として合成し、水平３８４０×垂直２１６０の画素数の映像信号とする。
【００３８】
具体的には、第１の２Ｋ信号処理部１１０で、図６（ａ）に示すように、表示エリアＡ１の右隣まで含まれた第１映像信号の範囲Ｐ１１とし、補正データをシフトせずにユニフォミティ補正を行う。ユニフォミティ補正を行う平行斜線で示す範囲は、表示エリアＡ１と一致した画素範囲としてある。
第２の２Ｋ信号処理部１２０では、図６（ｂ）に示すように、表示エリアＡ２の右隣まで含まれた第２映像信号の範囲Ｐ１２とし、補正データを左に１２８画素シフトさせてユニフォミティ補正を行う。ユニフォミティ補正を行う平行斜線で示す範囲は、表示エリアＡ２と一致した画素範囲としてある。
第３の２Ｋ信号処理部１３０では、図６（ｃ）に示すように、表示エリアＡ３の右隣まで含まれた第３映像信号の範囲Ｐ１３とし、補正データをシフトせずにユニフォミティ補正を行う。ユニフォミティ補正を行う平行斜線で示す範囲は、表示エリアＡ３と一致した画素範囲としてある。
第４の２Ｋ信号処理部１４０では、図６（ｄ）に示すように、表示エリアＡ４の右隣まで含まれた第４映像信号の範囲Ｐ１４とし、補正データを左に１２８画素シフトさせてユニフォミティ補正を行う。ユニフォミティ補正を行う平行斜線で示す範囲は、表示エリアＡ４と一致した画素範囲としてある。
なお、各映像信号の範囲Ｐ１１，Ｐ１２，Ｐ１３，Ｐ１４の内のユニフォミティ補正をしない領域は、映像内容が存在しない領域（例えば白レベル又は黒レベルの映像が連続する領域）である。
【００３９】
そして、４分割表示モード及び圧縮表示モードでは、合成処理部１５０で、図６の各図に示した平行斜線を付与した領域の映像が合成されて、水平３８４０×垂直２１６０の画素数の映像とされる。
【００４０】
・左寄せ表示モード（図７）
この左寄せ表示モードの際には、第１の２Ｋ信号処理部１１０で、図７（ａ）に示すように、表示エリアＡ１の右隣まで含まれた第１映像信号の範囲Ｐ２１を、入力映像信号の水平２０４８画素範囲とし、補正データをシフトせずにユニフォミティ補正を行う。ユニフォミティ補正を行う平行斜線で示す範囲は、その範囲Ｐ２１全体としてある。表示エリアＡ１の右隣は、表示エリアＡ２の左端から水平方向に１２８画素の範囲である。
第２の２Ｋ信号処理部１２０では、図７（ｂ）に示すように、表示エリアＡ２の左端から水平方向に１２９画素目からの水平２０４８画素範囲を、第２映像信号の範囲Ｐ２２とし、補正データを左に２５６画素シフトさせてユニフォミティ補正を行う。ユニフォミティ補正を行う平行斜線で示す範囲は、範囲Ｐ２２内の表示エリアＡ２と一致した画素範囲としてある。
第３の２Ｋ信号処理部１３０では、図７（ｃ）に示すように、表示エリアＡ３の右隣まで含まれた第３映像信号の範囲Ｐ２３を、入力映像信号の水平２０４８画素範囲とし、補正データをシフトせずにユニフォミティ補正を行う。ユニフォミティ補正を行う平行斜線で示す範囲は、その範囲Ｐ２３全体としてある。表示エリアＡ３の右隣は、表示エリアＡ４の左端から水平方向に１２８画素の範囲である。
第４の２Ｋ信号処理部１４０では、図７（ｄ）に示すように、表示エリアＡ４の左端から水平方向に１２９画素目からの水平２０４８画素範囲を、第２映像信号の範囲Ｐ２４とし、補正データを左に２５６画素シフトさせてユニフォミティ補正を行う。ユニフォミティ補正を行う平行斜線で示す範囲は、範囲Ｐ２４内の表示エリアＡ４と一致した画素範囲としてある。
【００４１】
そして、左寄せ表示モードでは、合成処理部１５０で、図７の各図に示した平行斜線を付与した領域の映像が合成されて、水平３８４０×垂直２１６０の画素数の映像とされる。このように処理して表示することで、入力映像の右端がカットされた映像が表示される。
【００４２】
・中央表示モード（図８）
この中央表示モードの際には、第１の２Ｋ信号処理部１１０で、図８（ａ）に示すように、表示エリアＡ１の左隣の水平方向の１２８画素まで含まれた範囲を、第１映像信号の範囲Ｐ３１とし、補正データを右に１２８画素シフトさせてユニフォミティ補正を行う。ユニフォミティ補正を行う平行斜線で示す範囲は、その範囲Ｐ３１と表示エリアＡ１とが重なる範囲としてある。
第２の２Ｋ信号処理部１２０は、図８（ｂ）に示すように、表示エリアＡ２の左端からの第２映像信号の範囲Ｐ３２とし、表示エリアＡ２の右隣の水平方向の１２８画素まで含まれた範囲とし、補正データを左に１２８画素シフトさせてユニフォミティ補正を行う。ユニフォミティ補正を行う平行斜線で示す範囲は、範囲Ｐ３２内の表示エリアＡ２と一致した画素範囲としてある。
第３の２Ｋ信号処理部１３０は、図８（ｃ）に示すように、表示エリアＡ３の左隣の水平方向の１２８画素まで含まれた範囲を、第３映像信号の範囲Ｐ３３とし、補正データを右に１２８画素シフトさせてユニフォミティ補正を行う。ユニフォミティ補正を行う平行斜線で示す範囲は、その範囲Ｐ３３と表示エリアＡ３とが重なる範囲としてある。
第４の２Ｋ信号処理部１４０は、図８（ｄ）に示すように、表示エリアＡ４の左端からの第４映像信号の範囲Ｐ３４とし、表示エリアＡ４の右隣の水平方向の１２８画素まで含まれた範囲とし、補正データを左に１２８画素シフトさせてユニフォミティ補正を行う。ユニフォミティ補正を行う平行斜線で示す範囲は、範囲Ｐ３４内の表示エリアＡ４と一致した画素範囲としてある。
【００４３】
そして、左寄せ表示モードでは、合成処理部１５０で、図８の各図に示した平行斜線を付与した領域の映像が合成されて、水平３８４０×垂直２１６０の画素数の映像とされる。このように処理して表示することで、入力映像の左右の端が均等にカットされた映像が表示される。
【００４４】
・右寄せ表示モード（図９）
この右寄せ表示モードの際には、第１の２Ｋ信号処理部１１０で、図９（ａ）に示すように処理する。即ち、表示エリアＡ１の右端から水平方向に１２９画素目までの水平２０４８画素範囲（即ち左側に２５６画素はみ出た範囲）を、第１映像信号の範囲Ｐ４１とし、補正データを右に２５６画素シフトさせてユニフォミティ補正を行う。ユニフォミティ補正を行う平行斜線で示す範囲は、範囲Ｐ４１内の表示エリアＡ１と一致した画素範囲としてある。
第２の２Ｋ信号処理部１２０では、図９（ｂ）に示すように処理する。即ち、表示エリアＡ２の左隣の１２８画素範囲を含んだ水平２０４８画素範囲を、第２映像信号の範囲Ｐ４２とし、補正データをシフトせずにユニフォミティ補正を行う。ユニフォミティ補正を行う平行斜線で示す範囲は、その範囲Ｐ４２全体である。
第３の２Ｋ信号処理部１３０では、図９（ｃ）に示すように処理する。即ち、表示エリアＡ３の右端から水平方向に１２９画素目までの水平２０４８画素範囲（即ち左側に２５６画素はみ出た範囲）を、第３映像信号の範囲Ｐ４３とし、補正データを右に２５６画素シフトさせてユニフォミティ補正を行う。ユニフォミティ補正を行う平行斜線で示す範囲は、範囲Ｐ４３内の表示エリアＡ３と一致した画素範囲としてある。
第４の２Ｋ信号処理部１４０では、図９（ｄ）に示すように処理する。即ち、表示エリアＡ４の左隣の１２８画素範囲を含んだ水平２０４８画素範囲を、第４映像信号の範囲Ｐ４４とし、補正データをシフトせずにユニフォミティ補正を行う。ユニフォミティ補正を行う平行斜線で示す範囲は、その範囲Ｐ４４全体である。
【００４５】
そして、右寄せ表示モードでは、合成処理部１５０で、図９の各図に示した平行斜線を付与した領域の映像が合成されて、水平３８４０×垂直２１６０の画素数の映像とされる。このように処理して表示することで、入力映像の右端がカットされた映像が表示される。
【００４６】
このように映像として表示させる範囲の変化に合わせて、それぞれの２Ｋ信号処理部１１０〜１４０で映像信号に対してユニフォミティ補正を行う範囲を変化させて、合成処理部１５０で合成する範囲もシフトさせることで、各モードでの適正な表示ができる。即ち、左寄せ表示モードと中央表示モードと右寄せ表示モードのいずれの場合でも、適正な画素位置にユニフォミティ補正が行われて、表示が行われる。しかも、各２Ｋ信号処理部では、最大で水平２０４８×垂直１０８０の画素数のユニフォミティ補正を行えばよく、１つの処理部でのユニフォミティ補正量が適正であり、合成後の信号に対して補正する場合に比べて少ない負担で適正に処理できる。
【００４７】
［１．３  水平・垂直の両方向で処理状態を変える例］
【００４８】
ここまでの説明では、水平方向だけを、隣接した領域にまで処理範囲をシフトさせて、表示範囲を変化させるようにしたが、垂直方向で同様の処理を行うようにしてもよい。また、水平方向の処理と垂直方向の処理を組み合わせるようにしてもよい。
図１０は、この水平方向の処理と垂直方向の処理を組み合わせた場合の１つの例を示したものである。
図１０についても、図６〜図９と同様に、各図で太線で囲って示す範囲（符号Ｐを付与して示す範囲）は、それぞれの２Ｋ信号処理部１１０〜１４０が出力する映像信号の画素範囲である。また、その太線で囲って示す符号Ｐを付与した範囲の内の、平行斜線を付与して示す範囲が、該当する２Ｋ信号処理部でユニフォミティ補正を行う範囲である。なお、この場合には、各２Ｋ信号処理部１１０〜１４０内のメモリが、上下方向にも隣接したエリアの画素のユニフォミティ補正データを記憶する。
【００４９】
図１０（ａ）に示したように、表示エリアＡ１の右隣及び下隣まで含まれた第１映像信号の範囲Ｐ５１を、入力映像信号の画素範囲とする。ユニフォミティ補正を行う平行斜線で示す範囲は、その範囲Ｐ５１全体としてある。
第２の２Ｋ信号処理部１２０では、図１０（ｂ）に示すように、範囲Ｐ５１と重ならない範囲で右側にシフトした、第２映像信号の範囲Ｐ５２とする。ユニフォミティ補正を行う平行斜線で示す範囲は、範囲Ｐ５２内の表示エリアＡ２と一致した画素範囲としてある。
第３の２Ｋ信号処理部１３０では、図１０（ｃ）に示すように、範囲Ｐ５１と重ならない範囲で下側にシフトした、入力映像信号の画素範囲とする。ユニフォミティ補正を行う平行斜線で示す範囲は、その範囲Ｐ５３内の表示エリアＡ３と一致した画素範囲としてある。
第４の２Ｋ信号処理部１４０では、図１０（ｄ）に示すように、範囲Ｐ５１〜Ｐ５３と重ならない範囲で右側及び下側にシフトした、第４映像信号の範囲Ｐ５４とする。ユニフォミティ補正を行う平行斜線で示す範囲は、範囲Ｐ５４内の表示エリアＡ４と一致した画素範囲としてある。
【００５０】
そして、合成処理部１５０で、図１０の各図に示した平行斜線を付与した領域の映像が合成されて、水平方向と垂直方向のそれぞれで画素数が制限された映像とされる。この図１０の例は右端及び下端をカットする例であり、カットする位置に応じて、シフト位置は変化する。
この図１０に示すように水平垂直両方向に処理することでも、対処可能である。
【００５１】
［１．４  その他の変形例］
ここまで説明した実施の形態では、表示装置が扱う映像信号として、４系統の映像信号に分割して、その４系統の映像信号を合成して１つの表示用の映像信号として、表示させるようにしたが、複数の映像信号に分割する分割数はこの例に限定されない。即ち、２以上の複数の映像信号（即ち２以上の整数であるｎ個の映像信号）に分割して伝送あるいは記録された信号を入力として、表示処理する場合に本発明は適用可能である。
図２などに示した全体の画面の画素数や各領域の画素数についても、一例を示したものであり、図示した例に限定されるものではない。
【００５２】
また、図１及び図３の構成では、分割処理部である各２Ｋ信号処理部１１０〜１４０が、それぞれ別にユニフォミティ補正データ用メモリを持つ構成とし、合計で４つのメモリを持つ構成としたが、本発明はこのような構成に限定されるものではない。即ち、例えば表示パネルの全画素のユニフォミティ補正用のデータを１つメモリに記憶させて、各２Ｋ信号処理部１１０〜１４０が、その共通の１つのメモリにアクセスして、それぞれの処理部で必要な領域の補正データを取得するようにしてもよい。
【００５３】
また、表示装置が備える表示デバイスとしての表示パネルについても、上述した液晶表示パネル以外の各種表示方式の表示パネル（有機ＥＬ表示パネル，プラズマディスプレイなど）で構成させてもよい。さらに、図１の構成では信号処理部と表示デバイスとが一体化された表示装置として示したが、信号処理部が表示デバイスと別体で構成されていてもよい。
【００５４】
また、図１に示した構成では、表示装置に外部から入力した映像信号が４系統に分割された映像信号である場合の処理とした。これに対して、外部からの映像信号の入力や受信した映像信号については、１系統の映像信号（４Ｋ映像信号など）として、その１系統の映像信号を表示装置内で分割して、各分割信号処理部に送って同様の分割処理を行うようにしてもよい。
【符号の説明】
【００５５】
１０…映像信号源、１００…表示装置、１１０…第１の２Ｋ信号処理部、１１１…演算処理部、１１２…ユニフォミティ補正データ生成部、１１３…補正データ用メモリ、１２０…第２の２Ｋ信号処理部、１２３…補正データ用メモリ、１３０…第３の２Ｋ信号処理部、１３３…補正データ用メモリ、１４０…第４の２Ｋ信号処理部、１４３…補正データ用メモリ、１５０…合成処理部、１６０…表示デバイス駆動部、１７０…表示パネル、１８０…設定部、１９０…制御部
【図１】
2011090211.tif 000003
【図２】
2011090211.tif 000004
【図３】
2011090211.tif 000005
【図４】
2011090211.tif 000006
【図５】
2011090211.tif 000007
【図６】
2011090211.tif 000008
【図７】
2011090211.tif 000009
【図８】
2011090211.tif 000010
【図９】
2011090211.tif 000011
【図１０】
2011090211.tif 000012